(57)【要約】【課題】収納ケース内に固定状態で収納されている光ディスクが、外部からの衝撃等によって、固定状態から脱落することを防止する。【解決手段】収納部４に収納されて突出部８に光ディスク１の孔部２が嵌合されて保持されている光ディスク１を、蓋部５の裏面に設けた支持部９の弾性変形によって固定する。すなわち、収納ケース３に光ディスク１が収納されて蓋部５が閉じられると、弾性変形している支持部９の復元力が光ディスク１の表面に加わる。このため、収納ケース３が外部から衝撃を受けたとしても、光ディスク１は常に突出部８に挿入された状態に保たれる。したがって、収納ケース３に収納されている光ディスク１が突出部８から外れなくなる。【選択図】　　図１
2004018065.tif 000002
【特許請求の範囲】
【請求項１】
一面に開口面を有し、底面から前記開口面の方向に向けて突出して孔付円盤状情報記録媒体の孔部との嵌合を許容する突出部を有し、複数枚の前記孔付円盤状情報記録媒体を収納可能な収納部と、
前記収納部に対して開閉自在に取り付けられ、前記開口面を開閉する蓋部と、
前記収納部に対して前記蓋部が閉じた状態を維持する固定機構と、
前記蓋部の裏面から延出し、前記蓋部が閉じた状態を維持している場合において前記収納部に収納された前記孔付円盤状情報記録媒体に当接して弾性変形する支持部と、
を具備する情報記録媒体収納ケース。
【請求項２】
前記支持部は、前記蓋部が閉じた状態を維持している場合において、前記孔付円盤状情報記録媒体に当接して弾性変形する爪部と、
前記爪部に設けられ、前記蓋部が閉じた状態で前記孔付円盤状情報記録媒体と接することで、前記爪部を前記孔付円盤状情報記録媒体と非接触状態にする凸部と、
を具備する請求項１記載の情報記録媒体収納ケース。
【請求項３】
前記支持部は、弾性を有する樹脂材料によって形成されている請求項１又は２記載の情報記録媒体収納ケース。
【請求項４】
前記爪部は、その形状が円弧形状である請求項２又は３記載の情報記録媒体収納ケース。
【請求項５】
前記爪部は、その形状が四角形状である請求項２又は３記載の情報記録媒体収納ケース。
【請求項６】
前記爪部は、その形状が三角形状である請求項２又は３記載の情報記録媒体収納ケース。
【発明の詳細な説明】
【０００１】
【発明の属する技術分野】
本発明は、複数枚の孔付円盤状情報記録媒体、例えばＣＤやＤＶＤ等を積層して収納することが可能な情報記録媒体収納ケースに関する。
【０００２】
【従来の技術】
従来、コンパクトディスク（Ｃｏｍｐａｃｔ　Ｄｉｓｋ）やＤＶＤ（Ｄｉｇｉｔａｌ　Ｖｅｒｓａｔｉｌｅ　Ｄｉｓｋ）のような光ディスクを収納する収納ケースとして、様々な形状を有するものが市販されている。収納ケースは、収納方法という観点から、収納ケース内に光ディスクを固定するための固定手段を有する収納ケースと、収納ケース内には光ディスクを固定する固定手段を有さず、収納ケース内において光ディスクが固定されない状態で収納される収納ケースとに大別することができる。また、光ディスクの収納量という観点から、一つの収納ケースに一枚の光ディスクを収納する収納ケースと、一つの収納ケースに複数枚の光ディスクを収納できる収納ケースとに大別することができる。
【０００３】
従来市販されている収納ケースのうち一般的であるのは、図４に示す収納ケースである。図４は、従来例として示す収納ケースの斜視図である。図４に示す収納ケースには、収納ケース内に一枚の光ディスクを固定することが可能な固定手段が具備されている。以下、図４に示す収納ケースの斜視図に基づいて、光ディスク及び収納ケースの構造について説明する。
【０００４】
光ディスク１０１は、偏平な円盤形状を有しており、その中心には円形の孔部１０２が開けられている。
【０００５】
収納ケース１０３は、収納部１０４に蓋部１０５が開閉自在に取り付けられて構成されており、全体がプラスチック材料で形成されている。また、収納部１０４及び蓋部１０５の側面には、蓋部１０５の閉状態を維持するための固定機構として、収納部１０４には突部１０６が、蓋部１０５には側孔１０７が設けられている。これら突部１０６及び側孔１０７は、蓋部１０５が閉じた状態を維持する場合に突部１０６及び側孔１０７は嵌合するように位置づけられている。
【０００６】
収納部１０４は、光ディスク１０１を収納する収納スペース１０８及び光ディスク１０１を固定する固定部１０９から構成されている。収納スペース１０８は、光ディスク１０１の形状に合わせた凹部として形成されている。固定部１０９は、収納スペース１０８の中央に設けられている。この固定部１０９は、収納部１０４の底面から上方に突出しており、その形状は逆円錐台形を有している。ここで、固定部１０９の頂部の外径と固定部１０９の底部の外径とを比較すると、頂部の外径は底部の外径よりも若干大きく形成されている。また、固定部１０９の頂部及び底部における外径と光ディスク１０１の中心に開けられている孔部１０２の内径とを比較すると、固定部１０９の外径は孔部１０２の内径より大きく形成されており、固定部１０９の底部は孔部１０２の内径より小さく形成されている。そして、固定部１０９は複数個の爪状部材１１０に分割されているので、固定部１０９の軸方向と直交する方向に対して弾性変形し易い構造になっている。
【０００７】
ここで、光ディスク１０１を収納ケース１０３に収納する方法について説明する。収納ケース１０３は、通常は蓋部１０５が閉められている。図４に示す収納ケース１０３の場合は、収納部１０４の側面に設けられている突部１０６及び蓋部１０５の側面に設けられている側孔１０７が嵌合することにより、収納ケース１０３の閉状態が維持されている。外力によって突部１０６及び側孔１０７の嵌合をはずすと、蓋部１０５は開閉自在となり、蓋部１０５を開けると図４に示す開状態になる。次に、孔部１０２の位置を固定部１０９の上方に近接させ、光ディスク１０１の上方から光ディスク１０１の表面に対して垂直に力を加え、光ディスク１０１に対して下向きの力を加えることにより、光ディスク１０１を固定部１０９に固定する。次に、蓋部１０５を閉じて、突部１０６と側孔１０７とを嵌合させる。こうすることにより、収納ケース１０３は閉状態を維持できるようになり、光ディスク１０１は収納ケース１０３に収納される。
【０００８】
次いで、固定部１０９によって光ディスク１０１の固定状態を維持することができるのは、以下の理由による。
【０００９】
前述のように、固定部１０９は複数の爪状部材１１０によって構成されており、この爪状部材１１０は固定部１０９の軸方向と直交する方向に対して力が加えられると弾性変形し易い構造をしている。ここで、光ディスク１０１が固定部１０９に挿入されると、爪状部材１１０には固定部１０９の軸方向と直交し、固定部１０９の中心へ向かう方向に力が加えられる。そして、爪状部材１１０は固定部１０９の中心方向へ弾性変形を生じる。この時、弾性変形した爪状部材１１０には、その反作用として元の形状に復元しようとする復元力が働く。その復元力が孔部１０２との嵌合を維持する保持力として作用し、嵌合された光ディスク１０１は固定部１０９に固定されることになる。
【００１０】
次いで、光ディスク１０１の上方から光ディスク１０１の表面に対して垂直方向の力を加えることにより、爪状部材１１０が弾性変形を生じるのは、以下の理由による。
【００１１】
光ディスク１０１が固定部１０９に固定されるのは、孔部１０２と固定部１０９とが嵌合する際に、孔部１０２が光ディスク１０１の表面に対して垂直方向に加えられた力の向きを固定部１０９の軸方向と直交する方向、即ち爪状部材１１０が弾性変形を生じ易い方向に変換するからである。光ディスク１０１の表面に対して垂直方向に加えられる力が増加するに伴い、爪状部材１１０が弾性変形を生じる程度は増加することになる。光ディスク１０１を挿入する場合においては、固定部１０９の外径が孔部１０２との嵌合を許容する程度に達する時点で、孔部１０２は爪状部材１１０に弾性変形を生じさせることになる。
【００１２】
【発明が解決しようとする課題】
収納ケース１０３に光ディスク１０１が収納されている際、外部から収納ケース１０３に大きな衝撃力が加わると、収納ケース１０３に収納されている光ディスク１０１が固定部１０９から脱落するおそれがある。また、収納ケース１０３を繰り返し使用すると固定部１０９に疲労現象が発生し、固定部１０９を構成する爪状部材１１０が破損するおそれがある。これにより、収納ケース１０３の内部で光ディスク１０１が動き、光ディスク１０１の表面を傷つける可能性があり、不都合を生じる。
【００１３】
次に、図４に示す固定部を両面に有し、２枚の光ディスクを収納及び保持できるようにした収納ケースも存在する。しかし、このような構造を有する収納ケースは、収納ケース自体の厚さが増し、収納スペースが過大になるという問題がある。これに対して、収納ケースの厚さを薄くすることが可能な袋状の収納ケースも存在する。しかし、複数枚の光ディスクを同一の収納ケース内に直接収納すると、光ディスク同士又は光ディスクと収納ケースとの間で光ディスク表面が擦れ、光ディスク表面が傷つきやすくなる。
【００１４】
本発明の目的は、光ディスクが固定部から外れることがなく、繰り返し使用することができる収納ケースを提供することである。
【００１５】
本発明の目的は、従来技術よりも少ない収納スペースで複数枚の光ディスクを同時に収納することができ、また、複数枚の光ディスクを同時に収納したときに、光ディスク表面が傷つかない収納ケースを提供することである。
【００１６】
【課題を解決するための手段】
請求項１記載の発明は、一面に開口面を有し、底面から開口面の方向に向けて突出して孔付円盤状情報記録媒体の孔部との嵌合を許容する突出部を有し、複数枚の前記孔付円盤状情報記録媒体を収納可能な収納部と、前記収納部に対して開閉自在に取り付けられ、前記開口面を開閉する蓋部と、前記収納部に対して前記蓋部が閉じた状態を維持する固定機構と、前記蓋部の裏面から延出し、前記蓋部が閉じた状態を維持している場合において前記収納部に収納された前記孔付円盤状情報記録媒体に当接して弾性変形する支持部とを具備する。
【００１７】
したがって、収納部に孔付円盤状情報記録媒体を収納して情報記録媒体収納ケースを閉じると、蓋部裏面から延出する支持部は、孔付円盤状情報記録媒体表面と接触して弾性変形を伴う。このとき、弾性変形を伴っている支持部には、その反作用として復元力が発生する。この復元力が孔付円盤状情報記録媒体を保持する。
【００１８】
請求項２記載の発明は、前記支持部は、前記蓋部が閉じた状態を維持している場合において、前記孔付円盤状情報記録媒体に当接して弾性変形する爪部と、前記爪部に設けられ、前記蓋部が閉じた状態で前記孔付円盤状情報記録媒体と接することで、前記爪部を前記孔付円盤状情報記録媒体と非接触状態にする凸部とを具備する。
【００１９】
したがって、支持部に爪部及び凸部を設けることにより、爪部が直接孔付円盤状情報記録媒体表面と接触しなくなる。このため、情報記録媒体収納ケースを閉状態とした際に、爪部と孔付円盤状情報記録媒体とが直接接することがなくなり、孔付円盤状情報記録媒体表面における傷の発生を防止することができる。
【００２０】
請求項３記載の発明は、前記支持部は弾性を有する樹脂材料によって形成されている。
【００２１】
したがって、弾性を有する樹脂材料によって支持部を形成することにより、容易に弾性を有する支持部を製作することが可能になる。
【００２２】
ここで、爪部の形状には各種の形状が許容される。例えば、請求項４記載の発明は、前記爪部は、その形状が円弧形状、請求項５記載の発明は、前記爪部は、その形状が四角形状、請求項６記載の発明は、前記爪部は、その形状が三角形状を有する。
【００２３】
【発明の実施の形態】
本発明の実施の一形態を図１ないし図３に基づいて説明する。
【００２４】
図１は、本実施の一形態の情報記録媒体収納ケース（以下、単に収納ケースという）についての外観を表す全体斜視図である。なお、図１の収納ケースは、蓋部を開けて展開した様子を表している。
【００２５】
図２は、複数枚の孔付円盤状情報記録媒体（以下、単に光ディスクという）を収納した場合における、本発明の実施の一形態の収納ケースについての縦断面図である。
【００２６】
本実施の形態は、複数枚の光ディスクを積層して収納することが可能な収納ケースに関する。
【００２７】
まず、光ディスク１について説明する。
【００２８】
光ディスク１は偏平な円盤状の形状を有しており、その中心には円形の孔部２が開けられている。
【００２９】
次いで、収納ケース３について説明する。
【００３０】
収納ケース３はプラスチック材料で形成されており、光ディスク１を収納する収納部４及び蓋部５から構成されている。収納部４及び蓋部５は、これらの側部に位置する側板７と共に一体成形されており、側板７の部分を開閉支点として開閉自在な構造を有する。
【００３１】
収納部４は、光ディスク１を収納する収納スペース６を有し、一面に開口面を有する箱形の部材及び光ディスク１を保持する突出部８から構成されている。
【００３２】
蓋部５は、開口面を閉じる蓋状部材及び収納部４に収納された光ディスク１に対して保持力を加える支持部９から構成されている。
【００３３】
収納部４及び蓋部５の側面部には、収納部４及び蓋部５を閉じた際に閉状態を維持するための固定機構１０が取り付けられている。固定機構１０は、収納部４の側面部に設けられている固定部材１０ａと、蓋部５の側面部内側に設けられている固定溝１０ｂとから構成されている。これら固定部材１０ａ及び固定溝１０ｂは、蓋部５を閉めた状態にしたときに、固定部材１０ａが固定溝１０ｂと嵌合するように位置づけられている。
【００３４】
突出部８は収納部４の底面の中心に位置し、上方に延出する円柱状の部材により構成されている光ディスク保持部８ａと、光ディスク保持部８ａの下部に位置し、収納部４の底面に接する円形平板８ｂとから構成されている。光ディスク保持部８ａの外径は、光ディスク１の中心に開けられている孔部２の内径と比較すると、若干小さく形成されている。したがって、光ディスク保持部８ａは孔部２と嵌合することにより、光ディスク１を保持している。このとき、光ディスク保持部８ａは複数枚の光ディスク１を積層して保持することが可能な高さを有する。また、突出部８は、最下層に位置する光ディスク１の表面が収納部４の底面と接することで光ディスク１の表面に傷がつくことを防ぐため、光ディスク１と収納部４の底面の間に円形平板８ｂが配置された構造になっている。
【００３５】
支持部９は、基板部９ａと基板部９ａの一部に切起片として形成されている爪部１１とから構成されている。基板部９ａの中心には、光ディスク保持部挿入孔９ｂが開けられている。光ディスク保持部挿入孔９ｂは、蓋部５を閉じた際に光ディスク保持部挿入孔９ｂと光ディスク保持部８ａの頂部とが嵌合するように位置づけられている。また、爪部１１は、基板部９ａ上において２個設けられている。これらの爪部１１は、それぞれ対角方向に配置されており、それぞれ同一円周方向へ突出するように位置づけられている。
【００３６】
爪部１１は四角形状を有しており、爪部１１の先端側には半球形状を有する凸部１２が設けられている。図１においては、爪部１１は蓋部５から上方に向けて斜めに突出している。したがって、収納ケース３を閉じると、支持部９は収納ケース３の内部に位置づけられる。このとき、支持部９、爪部１１及び凸部１２は、前述の突出部８へ向けて突出するように位置づけられている。
【００３７】
このような構成において、収納ケース３は、通常は収納部４及び蓋部５の側面部に設けられている固定機構１０によって固定されており、収納ケース３の蓋部５が閉じた状態になっている。ここで、固定機構１０の固定状態を解除すると蓋部５は開閉自在なる。収納ケース３は、蓋部５を側板の部分を開閉支点として開放すると、図１に示す状態になる。次に、光ディスク１を収納する。光ディスク１を収納する場合は、収納部４の中心に設けられている光ディスク保持部８ａと孔部２とを嵌合させることにより行われる。このとき、光ディスク保持部８ａの下方に設けられている円形平板８ｂは、光ディスク１及び収納部４のスペーサーの役目を果たしている。これにより、光ディスク１は収納部４の底面に対して上方に位置づけられるので、光ディスク１の表面は収納部４の底面とが擦れて傷が生じることを防止している。ここで、複数枚の光ディスク１を収納する場合は、同様の方法によって先に収納した光ディスク１の上方に次の光ディスク１を積層させていく。複数枚の光ディスク１を挿入した場合は、光ディスク１の間にはスペーサーがないので、図２に示すように光ディスク１の表面が接する状態となる。
【００３８】
次に、収納部４及び蓋部５の側面に設けられている固定機構１０を嵌合させ、蓋部５を閉じる。このとき、収納部４及び蓋部５を嵌合させることにより、蓋部５が閉じた状態を維持させることができる。また、このとき収納ケース３の内部では、蓋部５に設けられている爪部１１が光ディスク１に対して上方から保持力を加えている。光ディスク１にはその表面に対して保持力が垂直方向に加えられる。この保持力は、複数枚の光ディスク１に対して同時に加わるので、複数枚の光ディスク１を同時に保持することができる。
【００３９】
次いで、蓋部５を閉じた状態にした場合において、爪部１１が光ディスク１に対して上方から保持力を発生する理由は、以下の通りである。
【００４０】
収納ケース３に光ディスク１が収納されていない場合、爪部１１の先端側に設けられている凸部１２は、円形平板８ｂと接している。これに対し、収納ケース３に光ディスク１が収納されている場合は、円形平板８ｂの上に光ディスク１が存在する。このとき、収納ケース３に光ディスク１が収納されると、凸部１２は収納されている光ディスク１の表面に接する。したがって、凸部１２の位置は、光ディスク１が収納されていない状態と比較すると、光ディスク１の厚さに相当する分上方に位置づけられる。このとき、爪部１１には弾性部材を用いているので、爪部１１は弾性変形をする。そして、爪部１１には、弾性変形による反作用として、復元力が生じる。この復元力は、収納されている光ディスク１の表面に対して垂直方向に加わり、突出部８の軸方向に対して光ディスク１が動かないようにするための保持力となる。
【００４１】
この復元力は、凸部１２の位置が上方に位置づけられる程、言い換えれば爪部１１が弾性変形する度合いが大きいほど大きくなる。したがって、一枚の光ディスク１を収納した場合と複数枚の光ディスク１を積層して収納した場合を比較すると、爪部１１に生じる復元力は後者の方が大きいといえる。
【００４２】
本実施の形態である収納ケース３は、蓋部５に形成されている爪部１１の弾性変形によって爪部１１に復元力を生じさせ、この復元力を利用して１枚又は積層された２枚以上の光ディスク１を同時に保持することが可能になる。また、爪部１１の高さ位置を蓋部５の裏面から０．５ｍｍ以上のスペースを確保することにより、外部から加わる衝撃や振動に対して、緩衝効果を有することもできる。
【００４３】
次いで、本実施の一形態の収納ケースにおける変形例について、図３に基づいて説明する。
【００４４】
図３は爪部１１の形状の変形例を示す平面図である。なお、図３中において（ａ）は爪部１１の形状が円弧形状、（ｂ）は爪部１１の形状が四角形状、（ｃ）は爪部１１の形状が三角形状を有する。
【００４５】
爪部１１の形状は円弧形状、四角形状及び三角形状のうちいずれの形状を採用しても、同様の効果が得られる。また、爪部１１の数量についても、支持部９に成形させる数量によらず、同様の効果が得られるが、図３（ａ）〜（ｃ）に例示したように、均等に配置された３点支持によれば、最も安定に光ディスク１を保持することが可能になる。
【００４６】
尚、本実施の形態では、爪部１１と支持部９とは一体成形されているが、本実施の形態における爪部１１と同様の効果を奏する部材であれば、爪部１１には、例えば板バネのような別部材を用いてもよい。
【００４７】
【発明の効果】
請求項１記載の発明によれば、収納された孔付円盤状情報記録媒体は、弾性変形した弾性部材が生じる保持力によって保持されるので、情報記録媒体収納ケースに外部から衝撃等が加わった場合においても、孔付円盤状情報記録媒体を情報記録媒体収納ケース内で保持することが可能である。また、孔付円盤状情報記録媒体は重ねて収納することが可能である。これによって、複数枚の孔付円盤状情報記録媒体をコンパクトに収納することができる。
【００４８】
請求項２記載の発明によれば、爪部が触れることによる孔付円盤状情報記録媒体表面における傷の発生を防止することができる。
【００４９】
請求項３記載の発明によれば、支持部に弾性を有する樹脂材料を用いることにより、弾性部材を用いた支持部を容易に製作することができる。
【００５０】
請求項４ないし６記載の発明によれば、爪部の形状が円弧形状、四角形状、三角形状いずれの形状であっても爪部は同様の効果を奏するので、爪部は任意形状とすることが可能である。
【図面の簡単な説明】
【図１】本発明の実施の一形態を示す蓋部を開いた収納ケースの全体の斜視図である。
【図２】光ディスクを２枚収納した場合における態様を示す収納ケース全体の縦断断面図である。
【図３】蓋部裏面に形成される爪部の形状パターンの一例を示す平面図である。
【図４】収納ケースの従来の一例を示す斜視図である。
【符号の説明】
１　　孔付円盤状情報記録媒体
２　　孔部
３　　情報記録媒体収納ケース
４　　収納部
５　　蓋部
８　　突出部
９　　支持部
１１　　爪部
１２　　凸部
【図１】
2004018065.tif 000003
【図２】
2004018065.tif 000004
【図３】
2004018065.tif 000005
【図４】
2004018065.tif 000006